(57)【特許請求の範囲】
【請求項１】
躯体に左右方向に間隔をおいて取付ける縦樋兼下地材と、上下方向及び左右方向に並べて配置される外装パネルと、左右に隣接する外装パネル間に取付ける目地棒とを備え、縦樋兼下地材は、左右の側壁と、底壁と、底壁の左右方向中央部から屋外側に突出する目地棒取付部を有し、外装パネルは、金属板により躯体側が開放する箱状に形成され、上面壁から突出する立ち上がり片と、立ち上がり片の屋外側面に取付けた突片と、左右の側面壁から突出する取付片を有し、上面壁が上方に位置する外装パネルの下面壁に当接し、立ち上がり片を上方に位置する外装パネルの内部に挿入してあると共に、上面壁と突片とで上方に位置する外装パネルの下面壁を挟持しており、左右に隣接する外装パネルの取付片を縦樋兼下地材の側壁と目地棒取付部との間の底壁にそれぞれビス止めしてあり、目地棒は、見付け片と、見付け片の左右方向中央部より躯体側に突出する見込み片と、見込み片の左右両側に設けた止水ゴムとを有し、見付け片と見込み片とはアルミ合金の押出形材で一体成形されており、見込み片の先端部に縦樋兼下地材の目地棒取付部に係合する係合部を有し、止水ゴムは、左右に隣接する外装パネルの側面壁にそれぞれ当接しており、見付け片により止水ゴムが隠蔽されていることを特徴とする外装構造。
【請求項２】
目地棒は、見付け片が見込み方向に間隔をおいて複数設けてあることを特徴とする請求項１記載の外装構造。
【請求項３】
外装パネルの立ち上がり片と、上方に位置する外装パネルの下面壁の躯体側縁部との間に、止水ゴムを設けてあることを特徴とする請求項１又は２記載の外装構造。
【発明の詳細な説明】
【技術分野】
【０００１】
本発明は、ビル等の建物の外壁に用いられる外装構造に関する。
【背景技術】
【０００２】
ビルの外壁の一形態として、アルミ等の薄い金属板から躯体側が開放する浅い箱状に形成した外装パネルを、上下及び左右方向に並べて取付けて形成するものがある。外装パネルは、躯体側の縁に取付片が突出して設けてあり、この取付片を重ねた状態で外装パネルを並べて配置し、取付片を躯体に固定した長尺の下地材にビス止めした上で、ビスを隠すため及び止水性を確保するために外装パネル同士の間にシーリング材を充填しており、上下の外装パネルの間と左右の外装パネルの間にはシーリング材による目地が縦横に形成される。
【０００３】
上述のように目地にシーリング材を充填するのには手間が掛かり、またシーリング材の経年劣化により止水性が低下したり汚れが生じたりすることから、近年では目地にシーリング材を充填しない構造が求められている。そのための従来の施工方法として特許文献１には、躯体の室外側に耐火成形板を取付け、耐火成形板上に下地材を出入り調整可能に取付け、左右に隣接する外装板（外装パネル）の側部に形成したフランジ状押え部同士を目地押え材によって下地材に固定したものが記載されている。目地押え材は、断面コ字形状の長尺な本体と、本体に係合取付けされる蓋体の２部材で構成されている。この施工方法では、隣接する外装板のフランジ状押え部同士を目地押え材で押えて固定する構造のため、外装板を取付けるにあたり、上下方向及び左右方向に並ぶ外装板を、各外装板の上部に形成した立ち上り部を下地材にビスで仮止めしてあらかじめ配置しておく必要があるため、かえって外装板の取付けが面倒になっていた。また目地押え材は、本体と蓋体の２部材で構成されており、本体だけを先に下地材にビス止めした後に蓋体をさらに取付けなければならないため、取付けに手間が掛かる。また、目地押え材による止水は完全なものではなく、特に縦目地と横目地の交差部から雨水が浸入するおそれが高い。
【特許文献１】特許第２７７５０１４号公報
【発明の開示】
【発明が解決しようとする課題】
【０００４】
本発明は以上に述べた実情に鑑み、施工がしやすく、尚且つ止水性も良好な外装構造の提供を目的とする。
【課題を解決するための手段】
【０００５】
上記の課題を達成するために請求項１記載の発明による外装構造は、躯体に左右方向に間隔をおいて取付ける縦樋兼下地材と、上下方向及び左右方向に並べて配置される外装パネルと、左右に隣接する外装パネル間に取付ける目地棒とを備え、縦樋兼下地材は、左右の側壁と、底壁と、底壁の左右方向中央部から屋外側に突出する目地棒取付部を有し、外装パネルは、金属板により躯体側が開放する箱状に形成され、上面壁から突出する立ち上がり片と、立ち上がり片の屋外側面に取付けた突片と、左右の側面壁から突出する取付片を有し、上面壁が上方に位置する外装パネルの下面壁に当接し、立ち上がり片を上方に位置する外装パネルの内部に挿入してあると共に、上面壁と突片とで上方に位置する外装パネルの下面壁を挟持しており、左右に隣接する外装パネルの取付片を縦樋兼下地材の側壁と目地棒取付部との間の底壁にそれぞれビス止めしてあり、目地棒は、見付け片と、見付け片の左右方向中央部より躯体側に突出する見込み片と、見込み片の左右両側に設けた止水ゴムとを有し、見付け片と見込み片とはアルミ合金の押出形材で一体成形されており、見込み片の先端部に縦樋兼下地材の目地棒取付部に係合する係合部を有し、止水ゴムは、左右に隣接する外装パネルの側面壁にそれぞれ当接しており、見付け片により止水ゴムが隠蔽されていることを特徴とする。
【０００６】
請求項２記載の発明による外装構造は、請求項１記載の発明の構成に加え、目地棒は、見付け片が見込み方向に間隔をおいて複数設けてあることを特徴とする。
【０００７】
請求項３記載の発明による外装構造は、請求項１又は２記載の発明の構成に加え、外装パネルの立ち上がり片と、上方に位置する外装パネルの下面壁の躯体側縁部との間に、止水ゴムを設けてあることを特徴とする。
【発明の効果】
【０００９】
請求項１記載の発明による外装構造は、躯体に縦樋兼下地材を取付けた後、外装パネルを上下面を互いに当接させながら下のものから順番に配置し、取付片を縦樋兼下地材の側壁と目地棒取付部との間の底壁にビス止めすることで、外装パネルを１枚ずつ簡単に取付けでき、目地棒は見込み片の先端部に設けた係合部を縦樋兼下地材の目地棒取付部に屋外側から係合するだけで簡単に取付けできるので、施工が容易である。また、目地棒の見付け片と止水ゴムにより左右の外装パネル間からの雨水の浸入を阻止でき、外装パネルの上面壁を上方に位置する外装パネルの下面壁と当接することで横目地を無くし、且つ立ち上がり片を上方に位置する外装パネルの内部に挿入していることで、上下の外装パネル間からの雨水の浸入も防止できる。またそのように横目地を無くしたことで、上下に並ぶ複数の外装パネルの側面壁が隙間なく連続し、これらの側面壁に目地棒の止水ゴムがまたがって当接することで、縦目地内における上下の外装パネルの境界部からの雨水の浸入をも防止できる。外装パネルの上面壁と突片とで上方に位置する外装パネルの下面壁を挟持しているので、外装パネルのばたつきを抑えられると共に、上下の外装パネル間に隙間が開かないように拘束できる。また、外装パネル間から多少雨水が浸入したとしても、下地材が縦樋を兼ねるものであるため、この縦樋兼下地材を通じて浸入した雨水を下方に流下させ、躯体側への雨水の浸入を防止できる。さらに、左右の外装パネル間には目地棒のアルミ製の見付け片が見え、止水ゴムは見付け片に隠れて見えないため、見栄えの良い外装構造となる。
【００１０】
請求項２記載の発明による外装構造は、見付け片が見込み方向に間隔をおいて複数設けてあることで、見付け片による止水効果が高められ、外装パネルの側面壁に当接する止水ゴムと相まって縦目地部の止水性をより一層向上できる。
【００１１】
請求項３記載の発明による外装構造は、外装パネルの立ち上がり片と、上方に位置する外装パネルの下面壁の躯体側縁部との間に、止水ゴムを設けてあることで、上下の外装パネル間の止水性をより一層向上できる。
【発明を実施するための最良の形態】
【００１３】
以下、本発明の実施の形態を図面に基づいて説明する。図３は、本発明の建物の外装構造の一実施形態を示す正面図であり、図１は図３のＡ−Ａ断面図、図２は図１のＢ−Ｂ断面図である。本外装構造は、ビルの外壁を成すものであって、図１，３に示すように、躯体１には長尺の縦樋兼下地材２が左右方向に間隔をおいて取付けてあり、左右２本の縦樋兼下地材２，２を跨ぐ状態で外装パネル３が上下方向及び左右方向に並べて取付けてある。左右の外装パネル３，３の間の縦目地には、目地棒４を取付けてある。また外装パネル３は、上下面を互いに当接させて配置してあり、通常形成される横目地を無くしている。
【００１４】
縦樋兼下地材２は、アルミ合金の押出形材で形成したものであり、図１に示すように、左右の側壁５，５と、底壁６と、底壁６の左右方向中央部より屋外側に突出する目地棒取付部７とを有する山字形の断面形状となっている。目地棒取付部７は、側壁５よりも屋外側まで突出しており、その先端部に略円形断面に膨らんだ突部１９を有している。縦樋兼下地材２は、２本のアングル材２０ａ，２０ｂをボルト・ナット２１で連結した連結材２２を介して、躯体１から浮かせた状態で取付けてある。アングル材２０ａ，２０ｂ同士を連結しているボルトの挿通孔２３は前後方向の長孔となっており、ボルトを緩めた状態でアングル材２０ａを前後方向に移動させることで、縦樋兼下地材２の取付面３１の高さを見込み方向に調整することができ、これにより躯体１の凹凸を吸収して複数の外装パネル３を同一面上に取付けできる。
【００１５】
外装パネル３は、図４に示すように、アルミ等の金属の薄い板を曲げ加工ないしプレス加工して、躯体側が開放する浅い箱状に形成したものであって、上面壁８の端部を上方に折り曲げて立ち上がり片９を形成し、左右の側面壁１０の端部を側方に折り曲げて取付片１１を形成し、下面壁１２の端部を上方に折り曲げて起立片２４を形成してある。立ち上がり片９の屋外側面には、止水ゴム１７を取付けてある。この外装パネル３は、図１に示すように、両側の取付片１１を縦樋兼下地材２の側壁５と目地棒取付部７との間の底壁６にビス２９で固定することで取付けている。外装パネル３の上面壁８は、図２に示すように、上方に位置する外装パネル３の下面壁１２と当接させており、尚且つ立ち上がり片９が上方に位置する外装パネル３の内部に挿入され、立ち上がり片９と起立片２４とが止水ゴム１７を挟んで密着している。このように、外装パネル３の上面壁８と下面壁１２を互いに当接させ、尚且つ立ち上がり片９と起立片２４との間に止水ゴム１７を設けたことで、上下外装パネル３，３間からの雨水の浸入を防止している。
【００１６】
目地棒４は、アルミ合金の押出形材で形成したものであり、図１に示すように、見込み方向に間隔をおいて配置した２つの見付け片１３ａ，１３ｂと、見付け片１３ａ，１３ｂの左右方向中央部より躯体側に突出する見込み片１４と、見込み片１４の両側に突出する止水ゴム保持片２５，２５と、止水ゴム保持片２５，２５に保持した止水ゴム１５，１５とを有している。見付け片１３ａ，１３ｂは、左右に隣接する外装パネル３，３の側面壁１０，１０間の隙間と略同じ幅で形成してあり、側面壁１０，１０間からの雨水の浸入を防止すると共に、止水ゴム１５や外装パネルの取付けビス２９が屋外側から見えないように隠している。見込み片１４の先端部は、縦樋兼下地材２の目地棒取付部７に屋外側から着脱自在に係合する係合部１６が二股状に形成してあり、係合部１６の内面には目地棒取付部７に形成した突部１９に係止する凹部２６が設けてある。止水ゴム１５は、止水ゴム保持片２５が嵌まり込む溝を有する基部１５ａと、基部１５ａの側面に見込み方向に間隔をおいて突設した４つのフィン１５ｂを有し、各フィン１５ｂが隣接する外装パネル３の側面壁１０にそれぞれ当接しており、これにより隣接する外装パネル３，３間の止水を確実なものとしている。止水ゴム１５の外装パネル側面壁１０との当接部をフィン１５ｂで形成したことで、目地棒４を屋外側から取付ける際に止水ゴム１５と外装パネル側面壁１０との摩擦を軽減でき、且つ隣接する外装パネル３の側面壁１０，１０間の間隔に誤差があっても、フィン１５ｂが外装パネル側面壁１０に確実に当接する。また、フィン１５ｂを見込み方向に間隔をおいて複数設けてあることで、止水性が高められる。
【００１７】
本外装構造の施工手順を説明すると、まず躯体１にアンカーボルト２７を打ち込み、アンカーボルト２７に連結材２２を取付ける。連結材２２は、外装パネル３の横幅に応じた間隔で設け、各連結材２２の縦樋兼下地材２の取付け面が同一面となるようにボルト・ナット２１により高さを調整する。その後、各連結材２２に縦樋兼下地材２を上下２本程度のビス（図示省略）で仮止めして取付ける。その後、左右２本の縦樋兼下地材２，２に跨るように外装パネル３を配置し、取付片１１を縦樋兼下地材２の底壁６にビス２９で固定して取付ける。外装パネル３の取付けは、下のものから順番に行う。全ての外装パネル３を取付けたら、目地棒４を縦樋兼下地材２の目地棒取付部７に屋外側から係合して取付ける。
【００１８】
以上に述べたように本外装構造は、躯体１に縦樋兼下地材２を取付けた後、外装パネル３を上下面を互いに当接させながら下のものから順番に配置し、取付片１１を縦樋兼下地材２の側壁５と目地棒取付部７との間の底壁６にビス止めすることで、外装パネル３を１枚ずつ簡単に取付けでき、目地棒４は見込み片１４の先端部に設けた係合部１６を縦樋兼下地材２の目地棒取付部７に屋外側から係合するだけで簡単に取付けできるので、施工が容易である。また、目地棒４の見付け片１３ａ，１３ｂと止水ゴム１５により左右の外装パネル３，３間からの雨水の浸入を確実に阻止でき、外装パネル３の上面壁８を上方に位置する外装パネル３の下面壁１２と当接させ、且つ立ち上がり片９を上方に位置する外装パネル３の内部に挿入し、さらに立ち上がり片９と起立片２４との間に止水ゴム１７を配置したことで、上下の外装パネル３，３間からの雨水の浸入も防止できる。従来のように横目地がある場合には、縦目地と横目地との交差部から雨水が浸入しやすいが、本外装構造では、図２に示すように、外装パネル３の上下面を互いに当接させて横目地を無くしており、上下に並ぶ複数の外装パネル３，３，…の側面壁１０に亘って連続して止水ゴム１５が当接していることから、目地交差部からの雨水の浸入を防止できる。また、外装パネル３間から多少雨水が浸入したとしても、縦樋兼下地材２を通じて浸入した雨水を下方に流下させ、躯体側への雨水の浸入を防止できる。横目地を無くすことは、施工の簡略化と同時に止水性を向上させることに繋がり、意匠的にもすっきりした印象になる。
【００１９】
図５は、上下の外装パネル３，３の当接部の他の実施形態を示している。本実施形態では、立ち上がり片９の屋外側面にアングル１８をリベット３０で取付けており、下面壁１２には起立片２４を設けておらず、アングル１８と上面壁８とで下面壁１２を挟持している。止水ゴム１７は、立ち上がり片９と下面壁１２の躯体側縁との間に設けている。このようにアングル１８と上面壁８とで下面壁１２を挟持していることで、地震や強風等による外装パネル３のばたつきを防止できる。また、下面壁１２に箱の内側に曲がる起立片２４を設けないことで、外装パネル３をプレス加工により容易に製作できるようになる。
【００２０】
図６は、既存の外装パネル２８をカバーするように施工する場合の実施形態を示している。既存の外装パネル２８は表面が面一状に施工されており、高さ調整を行う必要がないことから、一定高さのハット形断面形状の連結材２２に縦樋兼下地材２を取付けている。
【００２１】
本発明は以上に述べた実施形態に限定されない。外装パネルは、ステンレス板や鉄板で形成したものでもよい。外装パネルの上面壁と、その上方に位置する外装パネルの下面壁との間に、若干の隙間があってもよい。縦樋兼下地材、目地棒、止水ゴムの断面形状は、適宜変更することができる。止水ゴムは、軟質の樹脂を使用したものであってもよい。
【図面の簡単な説明】
【００２２】
【図１】図３のＡ−Ａ断面図である。
【図２】図３のＢ−Ｂ断面図である。
【図３】本発明の外装構造の一実施形態を示す正面図である。
【図４】（ａ）は外装パネルの正面図、（ｂ）は外装パネルの側面図、（ｃ）は外装パネルの底面図である。
【図５】上下の外装パネルの当接部の他の実施形態を示す縦断面図である。
【図６】既存の外装パネルをカバーするように施工する場合の実施形態を示す横断面図である。
【符号の説明】
【００２３】
１  躯体
２  縦樋兼下地材
３  外装パネル
４  目地棒
５  側壁
６  底壁
７  目地棒取付部
８  上面壁
９  立ち上がり片
１０  側面壁
１１  取付片
１２  下面壁
１３ａ，１３ｂ  見付け片
１４  見込み片
１５  止水ゴム
１６  係合部
１７  止水ゴム
１８  アングル（突片）
２９  外装パネル取付け用ビス
【要約】      （修正有）【課題】施工がしやすく、尚且つ止水性も良好な外装構造の提供。【解決手段】躯体１に左右方向に間隔をおいて取付ける縦樋兼下地材２と、上下方向及び左右方向に並べて配置される外装パネル３と、左右に隣接する外装パネル間に取付ける目地棒４とを備え、縦樋兼下地材２は、左右の側壁５，５と、底壁６と、底壁の左右方向中央部から屋外側に突出する目地棒取付部７を有し、外装パネル３は、金属板により躯体側が開放する箱状に形成され、左右の側面壁１０，１０から突出する取付片１１，１１を有し、左右に隣接する外装パネルの取付片１１を縦樋兼下地材２の側壁５と目地棒取付部７との間の底壁６にそれぞれビス止めし、目地棒４は、見付け片１３ａ，１３ｂと、見付け片の左右方向中央部より躯体側に突出する目地棒取付部７に係合する見込み片１４と、見込み片の左右両側に設けた止水ゴム１５，１５とを有する。【選択図】図１【図１】
0004248596.tif 000002
【図２】
0004248596.tif 000003
【図３】
0004248596.tif 000004
【図４】
0004248596.tif 000005
【図５】
0004248596.tif 000006
【図６】
0004248596.tif 000007